(57)【特許請求の範囲】
【請求項１】
１本の共通線と２本の個別線との合計３本の配線によって電源部に接続される発光部を有し、この発光部内に、上記共通線と一方の個別線との間に接続されるＬＥＤと、上記共通線と他方の個別線との間に接続される抵抗とを設け、さらに、この抵抗を短絡させるスイッチとを設けたものにおいて、上記電源部側に、上記他方の個別線に抵抗を設け、発光部側の抵抗と電源部側の抵抗との間の分圧点をコンパレータの比較電圧入力部に接続し、コンパレータの基準電圧入力部に入力される基準電圧を生成する分圧抵抗を、上記共通線に接続して、共通線の電圧を基に基準電圧を生成することを特徴とする照明装置。
【発明の詳細な説明】
【技術分野】
【０００１】
本発明は、電源部と発光部とに分かれており、発光部内に光源としてＬＥＤを内蔵した照明装置に関する。
【背景技術】
【０００２】
電源部と発光部とを別個に分離した照明器具では、発光部での発光のオンオフを制御するためのスイッチを発光部に設ける方が使い勝手がよい。一方、このスイッチのオンオフによって電源部の出力を変化させる必要があるので、スイッチのオンオフを電源部側で検知する必要がある。
【０００３】
このような場合、一般にコンパレータを用いた回路を採用する。コンパレータに設けられた基準電圧入力部に基準電圧を入力すると共に、スイッチのオンオフによって変化する電圧を比較電圧入力部に入力する。そしてコンパレータ内で、比較電圧入力部の電圧が基準電圧入力部に入力されている電圧より高くなるとスイッチがオンしたものと判断される。
【０００４】
このように基準電圧入力部に入力される基準電圧は環境によって変化しないことが望まれるので、固定された電圧を基にして分圧抵抗によって生成される（例えば、特許文献１参照）。
【先行技術文献】
【特許文献】
【０００５】
【特許文献１】特開平６−１０５４８２号公報（図１）
【発明の概要】
【発明が解決しようとする課題】
【０００６】
ＬＥＤを発光させるためには、ＬＥＤの両端に順方向降下電圧（以下、ＶＦという）以上の電圧を印加する必要がある。一方、ＬＥＤを消灯する際には、このＶＦより低い電圧まで降圧すればよいが、電圧をゼロにすると、点灯用のスイッチをオンした際の分圧を上記コンパレータに入力することができない。そのため、ＬＥＤ消灯時にはＬＥＤに印加する電圧をゼロにするのではなく、ＶＦより低い電圧を印加する必要がある。
【０００７】
ところが、このように分圧を生成するための基となる電圧が、ＬＥＤの点灯時ではＶＦ以上の電圧であるのに対してＬＥＤの消灯時ではＶＦより低い電圧になる。このため、コンパレータに入力される比較電圧がＬＥＤの点灯時と消灯時とで大きく変化して、スイッチのオンオフを検知することができなくなる。
【０００８】
そこで本発明は、上記の問題点に鑑み、ＬＥＤが点灯時であっても消灯時であっても確実にスイッチのオンオフを検知することでのできる照明装置を提供することを課題とする。
【課題を解決するための手段】
【０００９】
上記課題を解決するために本発明による照明装置は、１本の共通線と２本の個別線との合計３本の配線によって電源部に接続される発光部を有し、この発光部内に、上記共通線と一方の個別線との間に接続されるＬＥＤと、上記共通線と他方の個別線との間に接続される抵抗とを設け、さらに、この抵抗を短絡させるスイッチとを設けたものにおいて、上記電源部側に、上記他方の個別線に抵抗を設け、発光部側の抵抗と電源部側の抵抗との間の分圧点をコンパレータの比較電圧入力部に接続し、コンパレータの基準電圧入力部に入力される基準電圧を生成する分圧抵抗を、上記共通線に接続して、共通線の電圧を基に基準電圧を生成することを特徴とする。
【００１０】
一般にコンパレータに入力する基準電圧は変動しない電圧を基に分圧して生成するが、本発明では比較電圧を生成する基となる電圧の変動に合わせて基準電圧を生成する基となる電圧が変化するようにした。
【発明の効果】
【００１１】
以上の説明から明らかなように、本発明は、比較電圧を生成する基となる電圧の変動に合わせて基準電圧を生成する基となる電圧を変化するようにしたので、ＬＥＤの点灯時および消灯時共にスイッチのオンオフを確実に検知することができる。
【図面の簡単な説明】
【００１２】
【図１】本発明の照明装置の構成を示す図
【図２】電源部の２次側と発光部との接続状態を示す回路図
【発明を実施するための形態】
【００１３】
図１を参照して、１は本発明による照明装置の一部である電源部である。この電源部１は比較的大型になるので、外部から隠れるように吊り戸棚ＨＣ内に設置した。一方、この吊り戸棚ＨＣの底板下面には、照明装置の構成部分である発光部２が取り付けられている。また、この発光部２には点消灯用のスイッチ２１が設けられており、このスイッチ２１をオンオフ操作することにより、発光部２内のＬＥＤが点消灯する。
【００１４】
上記電源部１には外部の商用電源からの電力を給電するための電灯線１１が接続されている。また、この電源部１と発光部２とは３本の導線１２を介して相互に接続されている。
【００１５】
図２を参照して、３本の導線１２の内、１本は共通線１２ａであり、他の２本は各々個別線１２ｂ、１２ｃである。発光部２内には上記スイッチ２１の他に複数個のＬＥＤが直列に接続されたＬＥＤユニット２２と、スイッチ２１に対して並列に接続された分圧抵抗２３が設けられている。なお、３は電源部１と発光部２とを連結するハーネスである。
【００１６】
スイッチ２１と分圧抵抗２３は共通線１２ａと個別線１２ｂとの間に接続されている。この個別線１２ｂは電源部１内で２個の分圧抵抗６１，６２に接続されており、コンパレータ４の比較電圧入力部４２に入力される分圧はスイッチ２１のオンオフによって分圧抵抗２３が短絡されるか否かによって変化する。
【００１７】
一方、コンパレータ４の基準電圧入力部４１には２個の分圧抵抗５１，５２によって生成される分圧が入力されるが、両分圧抵抗５１，５２による分圧の基となる電圧は共通線１２ａの電圧とした。
【００１８】
スイッチ２１のオンオフを検知するコンパレータ４の基準電圧を共通線１２ａの電圧による点が本発明の特徴で有り、他のコンパレータ７では基準電圧は電圧値が固定された電源「Ａ」を基に生成している。
【００１９】
なお、このコンパレータ７はトランジスタ７３をオンにすることにより、２個のツェナーダイオード７１，７２からなるシャントレギュレータ部分による制御電圧値を高低に切り替える。この高低２種類の電圧は、上記ＶＦを挟んで、一方の電圧がＶＦよりも高く、他方がＶＦより低くなるように設定されている。
【００２０】
従って、スイッチ２１がオンになると、共通線１２ａの電圧をＶＦより高い電圧にすることによりＬＥＤユニット２２を発光させ、スイッチ２１がオフになると共通線１２ａの電圧をＶＦより低い電圧にすることによってＬＥＤユニットを消灯させる。
【００２１】
共通線１２ａの電圧がＶＦより低くなってＬＥＤユニット２２が消灯しても、共通線１２ａには電圧が印加されているので、コンパレータ４の比較電圧入力部４２には、スイッチ２１のオンオフによって高低２種類の電圧が切り替わって入力されることになり、ＬＥＤユニット２２が消灯状態であってもスイッチ２１のオンオフを検知することができる。
【００２２】
なお、本発明は上記した形態に限定されるものではなく、本発明の要旨を逸脱しない範囲内において種々の変更を加えてもかまわない。
【符号の説明】
【００２３】
１  電源部
２  発光部
４  コンパレータ
７  コンパレータ
１２ａ  共通線
１２ｂ  個別線
１２ｃ  個別線
２１  スイッチ
２２  ＬＥＤユニット
２３  分圧抵抗
４１  基準電圧入力部
４２  比較電圧入力部
７１  ツェナーダイオード
７２  ツェナーダイオード
【図１】
0006598148.tif 000002
【図２】
0006598148.tif 000003